(57)【要約】      （修正有）【課題】低コストで、簡易かつ安全な作業で標示の表出・遮蔽の作業ができ、耐久性の高い遮蔽手段付き看板を提供する。【解決手段】看板に、その標示を一時的に隠す遮蔽手段が装着されており、該遮蔽手段は遮蔽シート１１と、複数の綱部材１２と、該綱部材を誘導する綱保持部材１３から構成されており、遮蔽シートは該看板の標示を隠すことができる大きさの方状であり、綱部材は複数が略平行に配され、各々の綱部材は該遮蔽シートの上端の所定位置に結束され、該看板上端の所定位置に設置された綱保持部材を介して、該看板の反対面側に至るように配され、さらに該遮蔽シートの下端の所定位置に結束されることにより、結束された該遮蔽シートと該綱部材は全体で看板表裏をスライド移動可能な状態で周回していることを特徴とする。【選択図】図６
0003167387.tif 000002
【実用新案登録請求の範囲】
【請求項１】
看板に、その標示を一時的に隠す遮蔽手段が装着されており、
該遮蔽手段は遮蔽シートと、複数の綱部材と、綱部材を誘導する複数の綱保持部材から構成されており、
遮蔽シートは該看板の標示を隠すことができる大きさの方形であり、綱部材は複数が略平行に配され、各々の綱部材は該遮蔽シートの上端の所定位置に結束され、該看板上端の所定位置に設置された綱保持部材を経由して、該看板の反対面側に至るように配され、さらに該遮蔽シートの下端の所定位置に結束されることにより、結束された該遮蔽シートと該綱部材は全体で看板表裏をスライド移動可能な状態で周回していることを特徴とする、遮蔽手段付き看板。
【請求項２】
綱部材と遮蔽シートとの結束は、各２個の結束部のうち少なくとも１個は着脱可能となっていることを特徴とする請求項１記載の遮蔽手段付き看板。
【考案の詳細な説明】
【技術分野】
【０００１】  標示を一時的に隠すことができる看板に関する。
【背景技術】
【０００２】  道路工事等の施工現場では、工事中である旨、工事個所、期間等工事に関する情報を通行者に告知するための看板が使用されている。これは、工事区域に多数配置されることが多い。通常、工事は期間中であっても夜間、休日、その他の理由で工事が行われない期間（時間帯）が生ずる場合がある。この場合、通行者等に工事中であると誤解を与えないよう、標示を隠す必要がある。【０００３】  この対処方法として、シート上端部を折り返し接合して引っかけ部を形成し、看板上端に装着することにより、標示を隠したり変更したりできる工事標示看板用シートが先行技術として開示されている。（例えば、特許文献１参照）。【０００４】  また、図２及び図３に示すように、上端にロールスクリーン９によるマスキングユニットを装着し、簡易に標示の表出・隠蔽が可能な看板が用いられている。
【先行技術文献】
【特許文献】
【０００５】
【特許文献１】特開２００１−２２０７１８号公報
【考案の概要】
【考案が解決しようとする課題】
【０００６】  しかしながら、図１のように、看板２はガードレール６にガードレール装着器具７を介して取り付ける等で、通行者特に車両運転者が認識しやすいよう高い位置に設置する場合が多く、特許文献１の看板シートでは多数ある看板一つ一つに脚立等に乗り着脱し、さらに移動しながら行う作業となる。非常にめんどうであり、かつ高所作業となるため危険である。また、通行者の注意をより喚起するため点滅燈８を設置したり、通行者保護のため側面にクッションを設置することが義務付けられる場合があり、シートに穴をあけたり、シートを装着した後点滅燈を着け直す、クッションをその度に撤去する等の作業が発生し、シート破損の原因となったり、作業が煩雑で非効率なものとなったりする。一方、ロールスクリーン９によるものは、上記課題を解決できるが、設備としてコストが高く、また雨水が収納部１０に侵入したり、風や衝撃に弱い等、非常に耐久性が悪く壊れやすいという欠点がある。【０００７】  そこで、本考案が解決しようとする課題は、低コストで、簡易かつ安全な作業で標示の表出・遮蔽の作業ができ、耐久性の高い遮蔽手段付き看板を提供することである。
【課題を解決するための手段】
【０００８】  上記課題を解決するため、本考案は以下のように構成されている。
まず請求項１として、看板に、その標示を一時的に隠す遮蔽手段が装着されており、
該遮蔽手段は遮蔽シートと、複数の綱部材と、綱部材を誘導する複数の綱保持部材から構成されており、
遮蔽シートは該看板の標示を隠すことができる大きさの方形であり、綱部材は複数が略平行に配され、各々の綱部材は該遮蔽シートの上端の所定位置に結束され、該看板上端の所定位置に設置された綱保持部材を経由して、該看板の反対面側に至るように配され、さらに該遮蔽シートの下端の所定位置に結束されることにより、結束された該遮蔽シートと該綱部材は全体で看板表裏をスライド移動可能な状態で周回していることを特徴とする、遮蔽手段付き看板である。【０００９】  次に、請求項２として、綱部材と遮蔽シートとの結束は、各２個の結束部のうち少なくとも１個は着脱可能となっていることを特徴とする請求項１記載の遮蔽手段付き看板である。
【考案の効果】
【００１０】  請求項１に記載の遮蔽手段付き看板であれば、遮蔽シートを看板下端を経由して表側あるいは裏側にスライドさせ移動することができ、必要時に標示を表出または隠蔽することが容易に実施できる。また看板下端付近で操作するため、高所作業を伴わない安全な作業をすることができる。【００１１】  また、請求項２に記載の遮蔽手段付き看板とすることで、遮蔽手段を取り外して他の看板に転用したり、看板の支持脚を開脚させ自立させるときに、支持脚を外して装着しなおすことなどが簡便に行えるようになる。
【図面の簡単な説明】
【００１２】
【図１】既存の看板例の正面図である。
【図２】既存の遮蔽手段（ロールスクリーンによるマスキングユニット）を備えた看板例を示し、（Ａ）は正面図、（Ｂ）は側面図である。
【図３】本遮蔽手段付き看板例で、標示を表出している状態を示し、（Ａ）は正面図、（Ｂ）は側面図である。
【図４】本遮蔽手段付き看板例で、標示を表出している状態の裏面図である。
【図５】本遮蔽手段付き看板例で、途中まで標示を隠した状態を示し、（Ａ）は正面図、（Ｂ）は側面図である。
【図６】本遮蔽手段付き看板例で、標示を完全に隠した状態を示し、（Ａ）は正面図、（Ｂ）は側面図である。
【図７】本遮蔽手段付き看板例で、標示を完全に隠した状態の裏面図である。
【図８】支持脚により自立させた状態の本遮蔽手段付き看板例で、標示を完全に隠した状態の側面図である。
【図９】遮蔽カバーと綱部材との結束部例で、綱部材がワイヤの場合の、（Ａ）は正面図、（Ｂ）は（Ａ）のａ−ａ’断面図である。
【図１０】遮蔽カバーと綱部材との結束部の他の例で、図９の（Ｂ）と同等位置での、綱部材がロープ（繊維素材）の場合の断面図である。
【図１１】綱保持部材例で、溝部を有した筒状部材を用いた場合の、（Ａ）は正面図、（Ｂ）は側面図である。
【図１２】綱保持部材の他の例で、滑車を用いた場合の側面図である。
【図１３】綱保持部材の更に他の例で、リング状部材を用いた場合の正面図である。
【図１４】看板下端にローラーを装着した場合の正面図である。
【考案を実施するための形態】
【００１３】  以下、本考案を実施するための最良の形態を、図面を参照しながら説明する。
図３〜図７は本考案の遮蔽手段付き看板１の、標示を表出した状態、途中まで隠した状態、標示を完全に隠した状態の各方向から見た図である。
【００１４】  遮蔽手段は以下の形態のものである。看板本体２の標示を完全に隠すことができる大きさの遮蔽シート１１の端部、例えば右上隅角端部と左上隅角端部にそれぞれ綱部材１２が結束されている。各綱部材１２は、看板の上端の隅角付近に設けられた、操作時に綱部材を誘導する綱保持部材１３にそれぞれ掛けられ、看板の反対面側に至るように配され、各々遮蔽シート１１の右下隅角端部、あるいは左下隅角端部に結束されている。このため、複数の綱部材１２はおおよそ平行に配される状態となっている。また、結束した遮蔽シート１１と綱部材１２は全体で環状となり、看板表裏を周回している。結束された遮蔽シート１１と綱部材１２はスライド移動可能な状態となっている。
【００１５】  図３および図４では、遮蔽シート１１は看板裏面４上にあり、標示が表出され通行者に情報が告知される状態となっている。ここで、工事期間外等で標示を隠す場合には、図５のように遮蔽シート１１を看板の下端を経由してスライドさせ、看板正面３に移動させる。更に、図６および図７のように、遮蔽シート１１を看板正面３に移動させ標示をすべて隠すようにする。移動時に綱部材１２は綱保持部材１３によって誘導されるため、遮蔽手段が看板から外れることなく、スムーズに移動できる。再び標示を表出させる場合は、同様に遮蔽シート１１を看板下端を経由して看板裏面４に移動させればよい。
【００１６】  結束した遮蔽シート１１と綱部材１２の合計長さは、看板の表裏一周より若干長いものとする。短いと遮蔽シート１１が動きにくく、長すぎると遮蔽シート１１が風で捲れ上がる等、遮蔽機能を果たさなかったり、危険な状態になったりする。なお、図では２本の綱部材１２で構成しているが、面積の広い看板などでは、さらに中央端部同士を結ぶ等、３本以上の綱部材および綱保持部材を用いても良い。
【００１７】  遮蔽シート１１は、所要の強度、耐久性、防水性、柔軟性（屈曲可能）を有し、標示を隠ぺいできる厚みを有するシート状のものであれば、一般的に用いられている素材からなるものを用いることができる。その中でも、耐水性のビニールシート（ポリプロピレン製）が好ましい。標示遮蔽時に通行者を惑わさないよう、無地のシートが好ましい。
【００１８】  綱部材１２は、所要の強度、耐久性、柔軟性、伸び耐性（応力が生じても伸びにくい）を有するものであれば、一般的に用いられている素材からなるものを用いることができる。ワイヤ（鋼製、ステンレス製等）、天然繊維ロープ（麻、綿等）、化学繊維ロープ（ビニールロープ）等が用いられる。ワイヤやポリプロピレン製化学繊維ロープ等が好ましい。作業車が扱いやすい材質、太さのものが望ましい。
【００１９】  遮蔽シート１１と綱部材１２の結束は、遮蔽シート１１の隅角部等端部に穴を穿ち綱部材１２を直接結び付ける等で行うことができる。ここで、各々２個となる結束部の少なくとも１個の結束は着脱可能とすることが好ましい。その例として図９および図１０に示す。遮蔽シート１１の隅角部等端部に穴をあける。穴はハトメ１４で補強することが好ましい。樹脂製等の棒状部材に穴を穿ち、これに綱部材（ワイヤ）１２ａを通し、ワイヤ結束具１６でワイヤ綱部材１２ａを結束することによって棒状部材とワイヤ綱部材１２ａを固定した棒状留め具１５を作り、この棒状留め具１５をハトメ１４に嵌め込むことによって遮蔽シート１１とワイヤ綱部材１２ａを結束することがより好ましい。この場合、遮蔽シート１１と綱部材１２ａは着脱可能での結束となる。また、ワイヤの替わりに繊維ロープ１７を棒状部材に通し、先端に結び目１８を形成することで棒状部材と綱部材（繊維ロープ）１７を固定した留め具１５としても良い。
【００２０】  上記のように、遮蔽シート１１と綱部材１２の結束部を、上下一方でも着脱可能とすることで、図８に示すように、看板１が直立した場合から支持脚５を広げた状態で自立させる場合に変更しても、一旦棒状留め具１５をハトメ１４から外すことにより遮蔽シート１１と綱部材１２をはずし、支持脚５と看板本体２の間を通して、再び棒状留め具１５をハトメ１４に嵌め直して遮蔽シート１１と綱部材１２を装着しなおすことが簡単にできる。
【００２１】  図１１〜１３に示すように、綱保持部材１３は、看板２の上端部（看板縁部補強部材２１で補強されている）に装着する。綱部材１２が２本の場合は左右上端隅角部付近に一つずつ設置する。点滅燈装置の場合は、これを外した位置に取り付ける。１個の綱保持部材が１本の綱部材を誘導する。
【００２２】  綱保持部材１３は、綱部材１２が容易に滑る、あるいは移動できるような形状の溝状、リング状が好ましい。材質も綱部材１２の移動が容易なよう、樹脂製・金属製で、綱部材１２と接する部分は表面凹凸のない平滑なものが好ましい。図１１の綱保持部材１３ａは、筒状で表面が溝状の樹脂部材の一部を取り除き看板上部に嵌め込んだものであるが、簡易に形成でき、綱部材１２の滑りも良好で好ましい。図１２のように綱保持部材として滑車２０を取り付けても良い。
【００２３】  また、溝状の綱保持部材では、綱部材１２が脱線しないよう、脱線防止部材１９を取り付けるのが好ましい。これは、遮蔽シート１１が上方に行き過ぎないようストッパーの役目も果たす。金属、プラスチックなど耐久性に優れた素材で、綱部材の移動に支障がない形状とし、綱保持部材１２若しくは看板本体２に固定する。
【００２４】  図１３に示すように、綱保持部材がリング状部材２２では脱線防止部材は不要であるが、綱部材との接触が点接触となり、引っかかって動きにくくなる可能性があるため、材質、形状、大きさを適宜選択する必要がある。
【００２５】  更に、遮蔽手段の動きをより円滑にするため、看板本体２の下端にローラー２３若しくは半円形部材を装着しても良い（図１４）。
【００２６】  以上に記述した遮蔽手段の操作は、遮蔽シート１１を看板本体２の下端をくぐらせて上下にスライドさせて、標示の表出や隠蔽をする方法となる。操作は看板の下端付近で行うことができるため、ガードレール等に設置してある場合でも、脚立等を用いずに安全に行うことが可能となる。
【００２７】  また、看板上端に点滅燈があったり側面にクッションがある場合でも、遮蔽シートが看板下端を経由して動くため、綱保持部材１３位置を考慮する等で、標示の遮蔽・表出作業が支障なくできる。
【００２８】  なお、図示してはいないが、遮蔽シート１１が所定位置より動かないよう、ゴムバンド等で遮蔽シート１１を縛ったり、マグネット等で固定する等を行うことが望ましい。その他固定する方法があれば、これを用いることができる。特に、綱保持部材に滑車２０を用いたり、下端にローラー２３を設置する場合は、遮蔽手段が自重で移動しやすいので、厳重に固定することが望ましい。
【００２９】  本考案を確認するため、以下のような遮蔽手段付き看板１を試作した。
５５０×１４００ｍｍの鉄製看板２（縁部補強部材２１および支持脚５の厚さ：２５ｍｍ）に、５００×１５２０ｍｍのポリプロピレンシートによる遮蔽シート１１と、φ１．５ｍｍのステンレス製ワイヤによる綱部材１２ａを２本と、綱保持部材１３としてエフレックス管外径φ４０ｍｍを５０ｍｍカットし、約９０度分縦断に切断除去したものを２個用意した。他にφ８ｍｍのハトメ１４を４個、φ５×２０ｍｍの樹脂製棒状部材を２個用意した。ワイヤ１２ａの一端は、ドリルで中央に穴をあけた棒状部材に通し、結束具１６で結束し留め具１５とした。看板上端の左右隅角から各５０ｍｍ位置に前記綱保持部材１３をはめ込み固定した。遮蔽シート１１の４隅にハトメ１４で穴をあけ、上方の２端はワイヤ１２ａを直接通し結束具１６で固定し、ワイヤ１２ａを各々綱保持部材１３の溝に掛け、背面に回した。遮蔽シート１１の下端は看板２下端を潜らせて背面に回し、ワイヤ１２ａのもう一端である留め具１５をハトメ１４に通して固定した。なお、ワイヤ１２ａ長さは、留め具１５を作る時点で遮蔽シート１１がスムーズに動けるよう適正な長さに調整しておいた（１４００ｍｍ）。また、ワイヤ１２ａに替えてポリプロピレンロープ１７を綱部材としたところ、長さ調整は、棒状留め具１５との結束の結び目１８を適正位置にすることで、より簡易に行えるようになった。また、綱保持部材１３には金属平棒でＣチャンネル状脱線防止部材１９を作り、綱保持部材１３に嵌め込んだ。
この装置で簡易に看板の標示の表出および遮蔽ができるようになった。また、看板下端付近での操作であるので、高所に設置しても脚立等を使わずに安全に操作できることが確認できた。
【００３０】  なお、上記した各形態については、本考案の趣旨を逸脱しない範囲において種々の変更が可能である。
【符号の説明】
【００３１】１      遮蔽手段付き看板
２      看板本体
３      看板正面
４      看板裏面
５      支持脚
６      ガードレール
７      ガードレール装着器具
８      点滅燈
９      ロールスクリーン
１０    ロールスクリーン収納部
１１    遮蔽シート
１２    綱部材
１２ａ  綱部材（ワイヤ）
１３    綱保持部材
１３ａ  綱保持部材（溝状円筒部材）
１４    ハトメ
１５    棒状留め具
１６    ワイヤ結束具
１７    綱部材（繊維素材ロープ）
１８    結び目
１９    脱線防止部材
２０    滑車
２１    看板縁部補強部材
２２    綱保持部材（リング状部材）
２３    ローラー
【図１】
0003167387.tif 000003
【図２】
0003167387.tif 000004
【図３】
0003167387.tif 000005
【図４】
0003167387.tif 000006
【図５】
0003167387.tif 000007
【図６】
0003167387.tif 000008
【図７】
0003167387.tif 000009
【図８】
0003167387.tif 000010
【図９】
0003167387.tif 000011
【図１０】
0003167387.tif 000012
【図１１】
0003167387.tif 000013
【図１２】
0003167387.tif 000014
【図１３】
0003167387.tif 000015
【図１４】
0003167387.tif 000016